(57)【要約】      （修正有）【課題】プレス工作物を接合するプレス設備を提供し、公知の生産工程を改善し、工作物の移動時間を減少させ、短時間で、組み合わせ式工作物を生産し、効果的にコストを抑制する。【解決手段】プレス工作物を接合するプレス設備は、プレスユニット、及び、溶接ユニットからなる。プレスユニットはプレス台を有し、多くのプレス材料はプレス台上で対応して組み合わされ、多くのプレス材料間に所定溶接領域を形成する。溶接ユニットはプレス台周辺に設置されて、所定溶接領域に対し溶接を実行する。上述のプレス設備は、プレス材料を直接プレス台上に対応組み合わせして溶接を実行し、その後、必要な工作物にプレスし、これにより、組み合わせ式工作物を快速に製造することができる。【選択図】図４ａ
0003136894.tif 000002
【実用新案登録請求の範囲】
【請求項１】
プレス工作物を接合するプレス設備であって、
プレス台を有し、多くのプレス材料は前記プレス台上で対応して組み合わされ、多くのプレス材料間に所定溶接領域を形成するプレスユニットと、
前記プレス台周辺に設置されて、前記所定溶接領域に対し溶接を実行する溶接ユニットと、
からなることを特徴とするプレス設備。
【請求項２】
前記プレスユニットは、前記溶接ユニットで溶接完成後、多くの前記プレス材料をプレスして、多くの工作物を溶接してなる製品に形成することを特徴とする請求項１に記載のプレス設備。
【請求項３】
前記工作物はＬ字型、長方形、等辺Ｕ字型、或いは、不等辺Ｕ字型であることを特徴とする請求項２に記載のプレス設備。
【請求項４】
前記製品は長方形フレームであることを特徴とする請求項２に記載のプレス設備。
【請求項５】
更に、
前記プレス台周辺に設置され、前記プレス材料を前記プレス台に輸送し、対応して組み合わせる多くの輸送ユニットを有することを特徴とする請求項１に記載のプレス設備。
【請求項６】
前記溶接ユニットは電気溶接機であることを特徴とする請求項１に記載のプレス設備。
【請求項７】
前記溶接ユニットはレーザー溶接機であることを特徴とする請求項１に記載のプレス設備。
【請求項８】
前記プレス台は開孔を有し、前記所定溶接領域に相対し、且つ、前記レーザー溶接機は前記プレス台下方に設置されることを特徴とする請求項７に記載のプレス設備。
【請求項９】
各所定溶接領域は前記溶接ユニットを対応設置することを特徴とする請求項１に記載のプレス設備。
【考案の詳細な説明】
【技術分野】
【０００１】
本考案は、プレス設備に関するものであって、特に、プレス工作物を接合するプレス設備に関するものである。
【背景技術】
【０００２】
プレス方法により必要な工作物を製作するのは、一般によく見られる技術手段である。しかし、プレス方法だけで必要な工作物を製作すると、再利用できない廃材を生成し、フラットパネルディスプレイのフレームがその一例である。
【０００３】
図１ａと図１ｂで、フラットパネルディスプレイフレームの製造工程を説明する。まず、金属ロール材、或いは、金属シート材を適当な大きさの矩形フレーム１１にプレスし、図１ａで示されるように、中央領域は必要なウィンドウ孔１２を有する。その後、トリミング、フォールディング等の後続工程により、図１ｂで示されるようなフレーム１３を形成する。上述の工程中、ウィンドウ孔１２を形成する時に生成される等面積の金属材は、その利用性が低く、廃材と見なされるので、材料コストが高くなる。
【０００４】
上述の問題に対し、現在、多くの組成工作物を組み合わせ式フレームに接合する製造方法がある。図２ａで示されるように、矩形フレーム２は、二個のＬ字型工作物２１を相対接合してなる。図２ｂで示されるように、効果的に金属材料２２上からＬ字型工作物２１を切割して、廃材の生成を減少させる。図３ａと図３ｂで示されるように、長方形工作物３１、３２、或いは、Ｌ字型工作物３３と長方形工作物３４を混合しても、必要なフレームに接合することができる。公知の上述の組み合わせ式フレームを生成する工程は、まず、Ｌ字型、或いは、長方形の工作物をプレスし、続いて、プレスした工作物を対応させて組み合わせる。最後に、適当な方法、例えば、溶接やリベット等で、工作物を接合する。
【０００５】
コストの抑制が業界で追求される目標であり、よって、如何にして生産工程を改善し、経済的な方式で、組み合わせ式工作物を生産するかが重要な課題である。
【考案の開示】
【考案が解決しようとする課題】
【０００６】
上述の問題に対し、本考案は、プレス工作物を接合するプレス設備を提供し、公知の生産工程を改善し、工作物の移動時間を減少させ、短時間で、組み合わせ式工作物を生産し、効果的にコストを抑制することを目的とする。
【課題を解決するための手段】
【０００７】
上述の目的を達成するため、本考案の実施例によるプレス工作物を接合するプレス設備は、プレスユニット、及び、溶接ユニット、からなる。プレスユニットはプレス台を有し、多くのプレス材料はプレス台上で対応して組み合わされ、多くのプレス材料間に所定溶接領域を形成する。溶接ユニットはプレス台周辺に設置されて、所定溶接領域に対し溶接を実行する。
【考案の効果】
【０００８】
本考案のプレス工作物を接合するプレス設備は、公知の生産工程を改善し、工作物の移動時間を減少させ、短時間で、組み合わせ式工作物を生産し、効果的にコストを抑制することができる。
【考案を実施するための最良の形態】
【０００９】
図４ａは、本考案の好ましい実施例によるプレス工作物を接合するプレス設備を示す図である。図で示されるように、プレス工作物を接合するプレス設備は、プレスユニット４１、及び、溶接ユニット４２、からなる。プレスユニット４１はプレス台４１１を有し、多くのプレス材料５、５'はプレス台４１１上に輸送されて、対応して組み合わされる。溶接ユニット４２は、プレス台４１１の周辺に設置されて、対応組み合わせ後のプレス材料５、５'に対し溶接を実行する。溶接ユニット４２は電気溶接機、或いは、レーザー溶接機である。
【００１０】
図４ｂで示されるように、二個のＬ字型工作物５１、５１'を対応させてなる矩形フレーム５３を例として説明する。二個のＬ字型工作物５１、５１'の対応箇所は所定溶接領域５２を形成し、プレス台４１１は開孔４１１ａを、所定溶接領域５２に対応させて設置する。これにより、レーザー溶接機はプレス台４１１下方に設置され、レーザー溶接機は開孔４１１ａにより所定溶接領域５２に対し溶接を実行する。好ましい実施例中、各所定溶接領域５２はレーザー溶接機を対応設置し、これにより、生産効率を向上させる。
【００１１】
注意すべきことは、実施例中、本考案のプレス工作物を接合するプレス設備は、更に、多くの運送ユニット４３をプレス台４１１の周辺に設置し、プレス材料５をプレス台４１１上に輸送して対応組み合わせすることである。
【００１２】
図５ａ〜図５ｄで示されるように、二個のＬ字型工作物５１、５１'を対応させてなる矩形フレーム５３を例とし、その製造工程を説明する。図５ａで示されるように、まず、プレス材料５、５'を、Ｌ字型工作物５１、５１'に対応する形状にプレスする。注意すべきことは、後続の加工工程後に形成されるＬ字型工作物５１、５１'の外形を分かりやすくするために、図中の点線はプレスされていないことである。後続の図式中の点線はどれも工作物の外形を示すもので、プレス材料をプレスしていない。
【００１３】
上述の説明を続けると、図５ｂで示されるように、プレス材料５、５'をプレス台４１１上に送って対応組み合わせした後、所定溶接領域５２を形成する。溶接ユニット４２は所定溶接領域５２に対し溶接を実行する。図５ｃで示されるように、溶接完成後、プレス材料５、５'をプレスして、矩形フレーム５３を形成する。矩形フレーム５３、及び、廃材５４を除去した後、プレス材料５、５'の境界は図５ａで示されるようになり、図５ｂ、及び、図５ｃの製造工程を重複して、次の矩形フレーム５３を形成する。図５ｄを参照すると、これにより、プレス材料５、５'は直接送出すれば、対応が完成し、これにより、直接、プレス台４１１で、連続して矩形フレーム５３を製造することができる。
【００１４】
本考案のプレス工作物を接合するプレス設備は、二個のＬ字型工作物により組成される矩形フレームに応用できるだけでなく、図６で示されるように、長方形工作物６１、及び、Ｌ字型工作物７１により組成される矩形フレームにも応用できる。図６で示されるように、プレス材料６は長方形工作物６１を連続してプレスすることができ、プレス材料７、７'はそれぞれＬ字型工作物７１、７１'を連続してプレスする。前述の製造方法によると、プレス台上で所定溶接領域５２の溶接工程を完成すれば、必要な矩形フレームが連続して形成できる。注意すべきことは、本考案のプレス工作物を接合するプレス設備は長方形工作物、等辺Ｕ字型、或いは、不等辺Ｕ字型により組成される矩形フレームにも応用できる。この他、本考案のプレス設備の応用は矩形フレームに限定されず、その他の溶接が必要な組み合わせ工作物にも応用できる。
【００１５】
総合すると、本考案のプレス工作物を接合するプレス設備は、直接、プレス材料をプレス台上で対応組み合わせすると共に、溶接を実行し、その後、必要な工作物にプレスする。プレス工作物を運搬して溶接工程を実行する必要がなく、且つ、対応組み合わせの工程は比較的容易なので、公知技術と比較すると、本考案のプレス工作物を接合するプレス設備は、快速に組み合わせ工作物を生産することができる。
【００１６】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１７】
【図１ａ】公知の矩形フレーム製造方法を示す図である。
【図１ｂ】公知の矩形フレーム製造方法を示す図である。
【図２ａ】公知の組み合わせ式矩形フレームの製造方法を示す図である。
【図２ｂ】公知の組み合わせ式矩形フレームの製造方法を示す図である。
【図３ａ】公知の組み合わせ式矩形フレームのもう一つの製造方法図である。
【図３ｂ】公知の組み合わせ式矩形フレームのもう一つの製造方法図である。
【図４ａ】本考案の好ましい実施例による接合可能なプレス工作物のプレス設備を示す図である。
【図４ｂ】本考案の好ましい実施例によるプレス台を示す図である。
【図５ａ】本考案のプレス設備による組み合わせ式矩形フレームの連続生産方式を示す図である。
【図５ｂ】本考案のプレス設備による組み合わせ式矩形フレームの連続生産方式を示す図である。
【図５ｃ】本考案のプレス設備による組み合わせ式矩形フレームの連続生産方式を示す図である。
【図５ｄ】本考案のプレス設備による組み合わせ式矩形フレームの連続生産方式を示す図である。
【図６】本考案のプレス設備によるもう一つの組み合わせ式矩形フレームの連続生産方式図である。
【符号の説明】
【００１８】
１１  矩形フレーム
１２  ウィンドウ孔
１３  フレーム
２  矩形フレーム
２１、３３  Ｌ字型工作物
２２  金属材料
３１、３２、３４  長方形工作物
４１  プレスユニット
４１１  プレス台
４１１ａ  開孔
４２  溶接ユニット
４３  輸送ユニット
５、５'  プレス材料
５１、５１'  Ｌ字型工作物
５２  所定溶接領域
５３  矩形フレーム
５４  廃材
６、７、７'  プレス材料
６１  長方形工作物
７１、７１'  Ｌ字型工作物
【図１ａ】
0003136894.tif 000003
【図１ｂ】
0003136894.tif 000004
【図２ａ】
0003136894.tif 000005
【図２ｂ】
0003136894.tif 000006
【図３ａ】
0003136894.tif 000007
【図３ｂ】
0003136894.tif 000008
【図４ａ】
0003136894.tif 000009
【図４ｂ】
0003136894.tif 000010
【図５ａ】
0003136894.tif 000011
【図５ｂ】
0003136894.tif 000012
【図５ｃ】
0003136894.tif 000013
【図５ｄ】
0003136894.tif 000014
【図６】
0003136894.tif 000015